(57)【要約】【課題】  文字や図柄などの所望の情報が施された表示板をその裏面側から光照射させて情報を透過表示させる内照式表示構造及び内照式表示方法において、表示板に光量ムラを生じさせることなく、表示情報を正確に表示できる内照式表示構造及び内照式表示方法を提供すること。【解決手段】  光源の直上に所要長さの板状の遮光部材１を、遮光部材１頂部と表示板６との間に所要の間隙が形成されるように、且つ、上下方向に延出されるように反射壁５間に架設して、発光ダイオード３から真上方向へ進む放射光を遮るように構成する。【選択図】        図１
2005345548.tif 000002
【特許請求の範囲】
【請求項１】
水平板上に設けられた光源の四方を反射壁で囲んで略凹状に形設されると共に、前記反射壁上部が文字や図柄などの所望の情報が施された表示板で被装されて成り、前記表示板の裏面側から光照射させて所望の情報を透過表示させる内照式表示構造であって、
前記光源の直上に、前記光源から真上方向へ進む放射光を遮る遮光部材が設けられていることを特徴とする内照式表示構造。
【請求項２】
前記遮光部材は、所要長さの板状を呈し、前記遮光部材頂部と前記表示板との間に所要の間隙が形成されるように、且つ、上下方向に延出されるように前記反射壁間に架設されていることを特徴とする請求項１記載の内照式表示構造。
【請求項３】
前記遮光部材の上下方向の垂直面は、鏡面状に形成されていることを特徴とする請求項１または２記載の内照式表示構造。
【請求項４】
前記反射壁は、前記光源側から前記表示板側に向かって漸次拡径するように傾斜してなることを特徴とする請求項１〜３の何れか１項に記載の内照式表示構造。
【請求項５】
車両用計器内に組み込まれ、前記水平板は所望の回路が形成された回路基板であると共に前記光源は発光ダイオードであり、前記表示板は、各種警報や各種機器の作動状況を報知する情報が施されていることを特徴とする請求項１〜４の何れか１項に記載の内照式表示構造。
【請求項６】
水平板上に設けた光源の四方を反射壁で囲んで略凹状に形設し、前記反射壁上部に文字や図柄などの所望の情報が施された表示板を被装し、前記表示板の裏面側から光照射して所望の情報を透過表示する内照式表示方法であって、
前記光源から真上方向へ進む放射光を遮光して所望の情報を透過表示することを特徴とする内照式表示方法。
【請求項７】
前記光源の直上に所要長さの板状を呈した遮光部材を、前記遮光部材頂部と前記表示板との間に所要の間隙を形成するように、且つ、上下方向に延出するように前記反射壁間に架設して、この遮光部材で前記光源から真上方向へ進む放射光を遮光して所望の情報を透過表示することを特徴とする請求項６記載の内照式表示方法。
【請求項８】
前記遮光部材の上下方向の垂直面を、鏡面状に形成することを特徴とする請求項７記載の内照式表示方法。
【請求項９】
前記反射壁を、前記光源側から前記表示板側に向かって漸次拡径するように傾斜することを特徴とする請求項６〜８の何れか１項に記載の内照式表示方法。
【請求項１０】
車両用計器内に組み込まれ、前記水平板は所望の回路が形成された回路基板であると共に前記光源は発光ダイオードであり、前記表示板は、各種警報や各種機器の作動状況を報知する情報が施されていることを特徴とする請求項６〜９の何れか１項に記載の内照式表示方法。
【発明の詳細な説明】
【技術分野】
【０００１】
本発明は、文字や図柄などの所望の情報が施された表示板をその裏面側から光照射させて情報を透過表示させる内照式表示構造及び内照式表示方法に関する。
【背景技術】
【０００２】
従来より、文字や図柄などの所望の情報が施された表示板をその裏面側から光照射させて情報を透過表示させる内照式表示構造がある。
例えば、建設機械などの特殊車輌や船舶、あるいは自動車、オートバイ等の車輌などの作動状態を表示したり、あるいは船舶や車輌の異常時において警報表示して知らせる車両用計器等が、上記した内照式表示構造を採用している。
【０００３】
この車両用計器等に採用される内照式表示構造は、その光源として発光ダイオードが多用されているが、その発光ダイオードによる表示部の照明効果を高めるために、回路基板に取り付けられた発光ダイオードと、前記回路基板上に配設され、前記発光ダイオードの四方を囲む筒状壁部からなる合成樹脂性のケースと、このケースの上方に配設された表示板と、この表示板に設けられた表示部と、前記反射壁部に形成され、前記発光ダイオード側から前記表示板側に向かって傾斜して拡がる反射壁部とを備えて構成した表示装置がある（例えば特許文献１参照）。
【０００４】
【特許文献１】特開２０００−１９４２８４（第２頁、図２）
【発明の開示】
【発明が解決しようとする課題】
【０００５】
しかしながら、上記した表示装置は、表示板上の光量分布にムラがあるために、表示ムラが生じている。
すなわち、発光ダイオードと表示板との離間距離は、発光ダイオードの真上方向が最も短い。したがって、発光ダイオード側から表示板側に向かって傾斜して拡がる反射壁部を設けて表示板にむらなく反射光を照射したとしても、発光ダイオードから真上方向へ進む放射光によって、表示板中心部が最も輝度が高くなってしまう。
この表示装置では、仮に、夜間時に点灯した場合、表示情報が見づらく、また見誤る可能性もある。
【０００６】
そこで本発明は、表示板に光量ムラを生じさせることなく、表示情報を正確に表示できる内照式表示構造及び内照式表示方法を提供することを目的とする。
【課題を解決するための手段】
【０００７】
上記課題を解決するために本発明にかかる内照式表示構造及び内照式表示方法は、下記の技術的手段を講じた。
すなわち、請求項１にかかる内照式表示構造は、水平板上に設けられた光源の四方を反射壁で囲んで略凹状に形設されると共に、前記反射壁上部が文字や図柄などの所望の情報が施された表示板で被装されて成り、前記表示板の裏面側から光照射させて所望の情報を透過表示させる内照式表示構造であって、前記光源の直上に、前記光源から真上方向へ進む放射光を遮る遮光部材が設けられていることを特徴とする。
請求項２にかかる内照式表示構造は、請求項１において、前記遮光部材は、所要長さの板状を呈し、前記遮光部材頂部と前記表示板との間に所要の間隙が形成されるように、且つ、上下方向に延出されるように前記反射壁間に架設されていることを特徴とする。
請求項３にかかる内照式表示構造は、請求項１または２において、前記遮光部材の上下方向の垂直面は、鏡面状に形成されていることを特徴とする。
請求項４にかかる内照式表示構造は、請求項１〜３の何れか１項において、前記反射壁は、前記光源側から前記表示板側に向かって漸次拡径するように傾斜してなることを特徴とする。
請求項５にかかる内照式表示構造は、請求項１〜４の何れか１項において、車両用計器内に組み込まれ、前記水平板は所望の回路が形成された回路基板であると共に前記光源は発光ダイオードであり、前記表示板は、各種警報や各種機器の作動状況を報知する情報が施されていることを特徴とする。
請求項６にかかる内照式表示方法は、水平板上に設けた光源の四方を反射壁で囲んで略凹状に形設し、前記反射壁上部に文字や図柄などの所望の情報が施された表示板を被装し、前記表示板の裏面側から光照射して所望の情報を透過表示する内照式表示方法であって、前記光源から真上方向へ進む放射光を遮光して所望の情報を透過表示することを特徴とする。
請求項７にかかる内照式表示方法は、請求項６において、前記光源の直上に所要長さの板状を呈した遮光部材を、前記遮光部材頂部と前記表示板との間に所要の間隙を形成するように、且つ、上下方向に延出するように前記反射壁間に架設して、この遮光部材で前記光源から真上方向へ進む放射光を遮光して所望の情報を透過表示することを特徴とする。
請求項８にかかる内照式表示方法は、請求項７において、前記遮光部材の上下方向の垂直面を、鏡面状に形成することを特徴とする。
請求項９にかかる内照式表示方法は、請求項６〜８の何れか１項において、前記反射壁を、前記光源側から前記表示板側に向かって漸次拡径するように傾斜することを特徴とする。
請求項１０にかかる内照式表示方法は、請求項６〜９の何れか１項において、車両用計器内に組み込まれ、前記水平板は所望の回路が形成された回路基板であると共に前記光源は発光ダイオードであり、前記表示板は、各種警報や各種機器の作動状況を報知する情報が施されていることを特徴とする。
【発明の効果】
【０００８】
本発明によれば、光源の直上に、光源から真上方向へ進む放射光を遮る遮光部材を設けたことによって、最も高くなる表示板中心部の輝度を抑制して、表示板に光量ムラが生じることのない内照式表示構造及び内照式表示方法が提供できる。
【０００９】
また、表示板の上下方向の垂直面を、鏡面状に形成することで、光源からの放射光を効率よく拡散し、さらに、反射壁を、光源側から表示板側に向かって漸次拡径するように傾斜することで、極めて、光源からの放射光を効率よく拡散し、表示板に光量ムラを生じさせることなく、表示情報を正確に表示できる内照式表示構造及び内照式表示方法が提供できる。
【発明を実施するための最良の形態】
【００１０】
次に、本発明の実施の形態を、図面を参照しながら説明をする。
図中、符号Ａは内照式表示構造を、符号１は遮光部材１を、夫々示しており、車両計器に組み込まれたものを例示している。
【００１１】
本実施の形態にかかる内照式表示構造Ａは、図１に示すように、所望の回路が形成された回路基板２（水平板）上に設けられた発光ダイオード３（光源）の四方を、発光ダイオード３側から後述する表示板６側に向かって漸次拡径するように車両計器を構成する内側ケース４の端部を折り曲げ（傾斜）形成した反射壁５で囲んで略凹状に形設されると共に、各種警報や各種機器の作動状況を報知する情報が文字や図柄などでもって施された表示板６で反射壁５上部が被装されている。なお、この表示板６は、車速やエンジン回転数等を示す文字板７と一体成形されている。
【００１２】
また、図１及び図２に示すように、光源の直上に所要長さの板状の遮光部材１が、遮光部材１頂部と表示板６との間に所要の間隙が形成されるように、且つ、上下方向に延出されるように反射壁５間に架設されており、発光ダイオード３から真上方向へ進む放射光を遮るようになっている。
この板状の遮光部材１の垂直面と反射壁５は、発光ダイオード３からの放射光を効率よく反射させて拡散するように鏡面状に形成することが好ましい。
【００１３】
以上のように構成された内照式表示構造Ａは、各種警報や各種機器の作動状況を報知する際、発光ダイオード３から照射された放射光のうち、発光ダイオード３と表示板６との離間距離が最も短い発光ダイオード３の真上方向の放射光を遮光部材１が遮光する。
【００１４】
またこれと同時に、発光ダイオード３の真上方向以外の放射光は、主に反射壁５に照射されて反射し、その反射光は、遮光部材１の垂直面に照射されてさらに反射し、発光ダイオード３真上方向の放射光以外の放射光と、反射光とが混ざり合い拡散されて、表示板６が一様な輝度でもって透過表示する。
【００１５】
なお、遮光部材１によって、発光ダイオード３から真上方向へ進む放射光を遮るが、この遮光部材１は、発光ダイオード３の直上で、しかも、遮光部材１頂部と表示板６との間に所要の間隙が形成されるように設けているために、遮光部材１自身の影は表示板６に投影されることはない。つまり、表示板６が全体的に薄暗くなるイメージであるが、しかしながら、上記したように、反射壁５と遮光部材１の垂直面とで得られた反射光と、発光ダイオード３真上方向の放射光以外の放射光とが混ざり合い拡散されて、表示板６全体が一様な輝度でもって透過表示する。
【００１６】
また、発光ダイオード３から真上方向へ進む放射光を遮光して、所望の情報を透過表示すること内照式表示方法であっても良い。この場合、上記した遮光部材１を設けて、発光ダイオード３真上方向の放射光以外の放射光と、反射光とを混ざり合わせて、表示板６を一様な輝度でもって透過表示することが好適である。
【００１７】
なお、上述した実施形態は、本発明の好適な実施形態の一例を示すものであり、本発明はそれに限定されるものではなく、その要旨を逸脱しない範囲内において、種々変形実施が可能である。
【図面の簡単な説明】
【００１８】
【図１】本実施の形態にかかる内照式表示構造の縦断正面図である。
【図２】本実施の形態にかかる内照式表示構造の一部切欠した斜視図である。
【符号の説明】
【００１９】
Ａ  内照式表示構造
１  遮光部材
２  回路基板（水平板）
３  発光ダイオード（光源）
４  内側ケース
５  反射壁
６  表示板
７  文字板
【図１】
2005345548.tif 000003
【図２】
2005345548.tif 000004